(57)【要約】【課題】  複数のグループ又は使用者に共有して使用されるネットワーク対応プリンタにおいて、グループ毎又は使用者毎のネットワーク対応プリンタの利用状況を把握できるようにする。【解決手段】  複数のグループ又は使用者に共有して使用されるネットワークに対応したネットワーク対応プリンタの構成として、グループ毎又は使用者毎の印刷枚数を示す印刷枚数データを記憶するための記憶装置と、記憶装置に記憶された印刷枚数データが示す印刷枚数を表示する表示手段と、記憶装置に記憶された印刷枚数データをホスト装置に読み出す手段とを設ける。【選択図】      図１
2006007785.tif 000002
【特許請求の範囲】
【請求項１】
複数のグループ又は使用者に共有して使用されるネットワークに対応したネットワーク対応プリンタであって、
グループ毎又は使用者毎の印刷枚数を示す印刷枚数データを記憶するための記憶装置と、
前記記憶装置に記憶された印刷枚数データが示す印刷枚数を表示する表示手段と、
前記記憶装置に記憶された印刷枚数データをホスト装置に読み出す手段とを有することを特徴とするネットワーク対応プリンタ。
【請求項２】
ホスト装置からＩＤ番号を入力するＩＤ番号入力手段を有し、
前記印刷枚数データは、前記ＩＤ番号入力手段により入力されたＩＤ番号毎の印刷枚数を示すことを特徴とする請求項１に記載のネットワーク対応プリンタ。
【請求項３】
前記ＩＤ番号入力手段により入力されたＩＤ番号が認識されなかった場合、接続を許可しない不許可手段を有し、
ホスト装置は、接続が許可されると、印刷データの転送を行うことを特徴とする請求項１或いは２に記載のネットワーク対応プリンタ。
【請求項４】
印刷データを受信する受信手段と、
前記受信手段により受信された印刷データに基づいて印刷をする印刷手段とを有することを特徴とする請求項１に記載のネットワーク対応プリンタ。
【発明の詳細な説明】
【技術分野】
【０００１】
本発明は、ネットワーク環境において複数のグループ又は使用者によって使用されるネットワーク対応プリンタに関し、特に、ネットワーク対応プリンタにおける印刷枚数に関するものである。
【背景技術】
【０００２】
近年、オフィスで使用されるネットワーク対応プリンタでは、複数のセクション又は、複数の利用者により１台のプリンタを共有している（例えば特許文献１）。
【特許文献１】特開平６−３２４８２１号公報
【発明の開示】
【発明が解決しようとする課題】
【０００３】
オフィスでは各セクション毎に年間の予算が割り当てられており、プリンタの使用料（印刷用紙、トナー等の消耗品代、又はプリンタのリース料など）も各セクション毎の予算より算出する必要が生じる。しかし複数のセクションによって共有使用されているネットワーク対応プリンタでは、セクション毎のプリンタ使用料を算出することは困難である。そこで、複数のグループ又は使用者に共有して使用されるネットワーク対応プリンタにおいて、グループ毎又は使用者毎のネットワーク対応プリンタの利用状況を把握できるようにすることを目的とする。  
【課題を解決するための手段】
【０００４】
本発明は、複数のグループ又は使用者に共有して使用されるネットワークに対応したネットワーク対応プリンタであって、グループ毎又は使用者毎の印刷枚数を示す印刷枚数データを記憶するための記憶装置と、前記記憶装置に記憶された印刷枚数データが示す印刷枚数を表示する表示手段と、前記記憶装置に記憶された印刷枚数データをホスト装置に読み出す手段とを有することを特徴とする。
【発明の効果】
【０００５】
本発明は、複数のグループ又は使用者に共有して使用される、ネットワーク対応のプリンタにおいて、グループ毎又は使用者毎の印刷枚数をホスト装置及びネットワーク対応プリンタにおいて表示できるようにすることにより、各グループ毎又は使用者毎のプリンタ利用状況を容易に把握することができる。
【発明を実施するための最良の形態】
【０００６】
本発明は、複数のグループ又は使用者に共有して使用されるネットワークに対応したネットワーク対応プリンタであって、グループ毎又は使用者毎の印刷枚数を示す印刷枚数データを記憶するための記憶装置と、記憶装置に記憶された印刷枚数データが示す印刷枚数を表示する表示手段と、記憶装置に記憶された印刷枚数データをホスト装置に読み出す手段とを設けたものである。
【実施例】
【０００７】
次に、本発明の実施例を説明する。
（実施例１）
実施例１をインクジェットプリンタを例にとり以下に説明する。図１は、図２で示すインクジェットプリンタの制御系の概略構成を示すブロックである。図１、図２において、マイクロプロセッサ形態のＣＰＵ２１は、インターフェイス２２を介してホスト装置１００〜１０２に接続されており、ＲＯＭ形態のプログラムメモリ２４やＥＥＰＲＯＭ形態のデータメモリ２３等に格納されたプログラムや記録指令データ、ならびにホスト装置１００から１０２の何れかからＲＡＭ形態のワーキングメモリ２５に読み込まれた指令信号（コマンド）や記録情報信号にもとずいて記録動作を制御する。さらに、ＣＰＵ２１は、出力ポート２６およびキャリッジモータ制御回路４２を介してキャリッジモータ７１を動作させることによりキャリッジモータを移動させたり、シート送りモータ制御回路４４を介してシート送りモータ７０を動作させることにより、搬送機構４３を動作させる。さらに、ＣＰＵ２１は、ワーキングメモリ２５に格納されている記録情報に基づきヘッド駆動回路２９を介して記録ヘッド９Ａ〜９Ｄを駆動することにより、被記録媒体１上に所望の画像を記録することができる。
【０００８】
なお、図１、図２に示すその他の構成部分は公知であり、また本発明の構成と特に関係がない部分であるので、それらの詳細な説明は省略する。
【０００９】
次に、図３は実施例１の動作の流れを示すフローチャートである。図３において、インターフェイス２２を介してホスト装置１００〜１０２の何れかにより、ＩＤ番号の入力を行う（Ｓ１）。入力されたＩＤ番号がＩＤ認識装置２８によって認識された時のみ（Ｓ２）、プリンタとの接続が行われ、ＩＤ番号が与えられていない者はプリンタの使用が許可されない。プリンタとの接続が許可されると、印刷データの転送を行い（Ｓ３）、印刷を開始する（Ｓ４）。
【００１０】
印刷が終了すると（Ｓ６）、ＩＤ番号と印刷枚数を課金メモリ２７へ保存を行う（Ｓ７）。データ転送を開始したが、印刷を中止した場合（Ｓ５）には、印刷枚数は記憶されずに処理を終了する。課金メモリ２７に保存されたデータは、操作キー６０Ａ〜６０Ｄを操作し、入力ポート３２を介してＣＰＵ２１に課金メモリ２７内のデータ読み出し命令を発して、液晶表示部６５にＩＤ番号と累積印刷枚数を表示することができる。ここで、課金用メモリ２７は（例えばＥＥＰＲＯＭのように）消去可能な記録媒体であり、操作キー６０Ａ〜６０Ｄを操作することによりメモリ内のデータを消去することが可能である。
（実施例２）
実施例２では、課金用メモリ２７に保存されたデータを読み出す手段として、ホスト装置１００〜１０２の何れかから、インターフェイス２２及びＩＤ認識部２８を介して課金メモリ２７より、ＩＤ番号毎の累積印刷枚数のデータを読み出して、ＣＲＴモニタ上（１０３〜１０５の何れか）に表示する。
（実施例３）
実施例３では、操作キー６０Ａ〜６０Ｄを使って、印刷１枚の単価をプリンタに入力してメモリ２７に保持しておくことにより、ＩＤ番号毎の印刷枚数を表示する際に、印刷枚数に対する金額でＩＤ番号毎に表示を行う。
【図面の簡単な説明】
【００１１】
【図１】図１は、インクジェットプリンタにおける制御系の概略図である。
【図２】図２は、インクジェットプリンタの外形図である。
【図３】図３は、実施例のフローチャートである。
【符号の説明】
【００１２】
１                被記録媒体
７                搬送用モータ
６                キャリッジユニット
９Ａ              Ｙ記録ヘッド
９Ｂ              Ｍ記録ヘッド
９Ｃ              Ｃ記録ヘッド
９Ｄ              Ｂｋ記録ヘッド
２１              ＣＰＵ
２２              インターフェイス  
２３              データメモリ
２４              プログラムメモリ
２５              ワーキングメモリ
２６              出力ポート
２７              課金用メモリ
２８              ＩＤ認識部
３６              出力ポート
４２              キャリッジモータ制御回路
４３              搬送機構
６０Ａ〜６０Ｄ    操作キー
６１Ａ〜６１Ｄ    ＬＬＥＤ
６５              液晶表示部
７０              シート送りモータ回路
７１              キャリッジモータ
１００〜１０２    ホスト装置
１０３〜１０５    ＣＲＴモニタ
【図１】
2006007785.tif 000003
【図２】
2006007785.tif 000004
【図３】
2006007785.tif 000005